(57)【特許請求の範囲】
【請求項１】
媒体が給送される給送口を有する筐体部と、
前記筐体部の内部に設けられ、前記媒体の印刷面に印刷を行う印刷部と、
前記筐体部の内部に設けられ、前記媒体を搬送方向に搬送する搬送部と、
前記印刷部に対して前記搬送方向の上流側に配置され、前記媒体を支持する媒体支持部と、
前記印刷部及び前記搬送部に対して前記搬送方向の上流側に配置された除去部と、
前記除去部が固定される固定部と、
を備え、
前記固定部は、前記筐体部における前記給送口の上方に位置し、
前記除去部は、可撓性を有して重力方向に垂れ下がり且つ前記印刷面に接して前記給送口を塞ぐ除去部材と、
前記媒体支持部との間で前記除去部材を挟持する弾性部材と、を有することを特徴とする印刷装置。
【請求項２】
請求項１に記載の印刷装置であって、
前記除去部材における前記媒体との対向部は、前記弾性部材における前記媒体との対向部より突出するように、前記除去部材と前記弾性部材とが配置されていることを特徴とする印刷装置。
【請求項３】
請求項１または２に記載の印刷装置であって、
前記除去部材は、一方の端部及び他方の端部が前記固定部に固定され、前記一方の端部と前記他方の端部との間で湾曲した部分が前記印刷面に接することを特徴とする印刷装置。
【請求項４】
請求項１乃至３のいずれか１項に記載の印刷装置であって、
前記弾性部材の前記搬送方向と直交する幅方向の長さは、前記除去部材の前記幅方向の長さよりも短く、
前記弾性部材の前記幅方向の端部は、前記除去部材の前記幅方向の端部の内側に配置されることを特徴とする印刷装置。
【請求項５】
請求項１乃至４のいずれか１項に記載の印刷装置であって、
前記除去部は、前記媒体における前記搬送方向と直交する幅方向の端部に接するように配置されていることを特徴とする印刷装置。
【請求項６】
請求項１乃至５のいずれか１項に記載の印刷装置であって、
前記除去部は、前記搬送方向と交差する方向に沿って複数に分割されていることを特徴とする印刷装置。
【請求項７】
請求項１乃至６のいずれか１項に記載の印刷装置であって、
前記除去部材は、繊維の集合体であることを特徴とする印刷装置。
【請求項８】
請求項１乃至７のいずれか１項に記載の印刷装置であって、
前記除去部は、前記固定部に対して着脱可能に取り付けられていることを特徴とする印刷装置。
【発明の詳細な説明】
【技術分野】
【０００１】
本発明は、印刷装置に関する。
【背景技術】
【０００２】
印刷装置の一例であるインクジェット式プリンターは、媒体を搬送する搬送部と、インクを吐出するノズル形成面を有する記録ヘッドとを備え、搬送方向と交差する方向に記録ヘッドを移動させながらノズル形成面からインクを吐出する動作と、搬送方向に媒体を搬送する動作とを交互に繰り返し、所望の画像を媒体に印刷する。また、画像を印刷する部分では、吐出されたインクを所定の位置に正確に着弾させるために、ノズル形成面は、媒体に近接して配置されているので、媒体に付着した異物の悪影響を受けやすい。
【０００３】
印刷装置は、埃や毛羽などの異物が存在する環境で使用される。このため、環境要因の異物は、媒体に付着し、印刷装置の中に持ち込まれやすい。仮に、異物が画像を印刷する部分に持ち込まれると、ノズル形成面に異物が付着し、記録ヘッドのインク吐出性能が変化し、画像の印刷品位が低下するおそれがある。
【０００４】
例えば、特許文献１に記載のプリンター（印刷装置）は、埃を除去するための埃除去部材を有し、埃除去部材によってローラーに付着した埃（異物）を除去することによって、異物の悪影響が抑制されるとしている。詳しくは、埃除去部材はブラシであり、ブラシによってローラーに付着した異物を掻き落とすことによって、異物が除去される。
【先行技術文献】
【特許文献】
【０００５】
【特許文献１】特開平１０−２６５０７５号公報
【発明の概要】
【発明が解決しようとする課題】
【０００６】
ところが、特許文献１に記載の印刷装置では、ブラシで掻き落とされた異物が周辺に飛散し、媒体などに付着し、ノズル形成面を汚すおそれがあった。さらに、環境要因で媒体に付着した異物を除去する構成を有していないので、環境要因で媒体に付着した異物がノズル形成面に付着し、記録ヘッドのインク吐出性能が変化し、画像の印刷品位が低下するおそれがあった。
【課題を解決するための手段】
【０００７】
本発明は、上述の課題の少なくとも一部を解決するためになされたものであり、以下の形態または適用例として実現することが可能である。
【０００８】
［適用例１］本適用例に係る印刷装置は、媒体の印刷面に印刷を行う印刷部と、前記媒体を搬送方向に搬送する搬送部と、前記印刷部に対して前記搬送方向の上流側に配置され、前記媒体を支持する媒体支持部と、前記印刷部に対して前記搬送方向の上流側に配置された除去部と、前記除去部が固定される固定部と、を備え、前記除去部は、可撓性を有し、前記印刷面に接する除去部材と、前記媒体支持部との間で前記除去部材を挟持し、前記除去部材を押圧する弾性部材と、を有することを特徴とする。
【０００９】
環境要因の異物（例えば、気中に浮遊する埃や毛羽）や、環境要因以外の異物（例えば、媒体をハンドリングする際の異物、媒体を製造する工程の異物など）は、媒体の印刷面に付着し、印刷部に持ち込まれ、印刷部に悪影響を及ぼすおそれがある。
【００１０】
除去部材は、印刷部に対して搬送方向の上流側で媒体の印刷面に接するように設けられているので、媒体の印刷面に付着した異物は、除去部材によって除去され、印刷部に持ち込まれにくくなる。さらに、除去部材は、媒体の印刷面に接する部分が弾性部材によって押圧されているので、弾性部材によって押圧されていない場合と比べて、除去部材から付勢される異物を除去する力が強くなり、除去部材の異物除去能力を高め、異物が印刷部にさらに持ち込まれにくくなる。
従って、環境要因の異物や環境要因以外の異物が印刷部に持ち込まれ、印刷部に悪影響を及ぼすおそれを抑制することができる。
【００１１】
［適用例２］上記適用例に係る印刷装置では、前記除去部材は、前記固定部に固定された部分と前記弾性部材で押圧された部分との間で弛んでいることが好ましい。
【００１２】
除去部材は、固定部で固定された部分と弾性部材で押圧された部分とで移動しにくく、実質的に固定された状態になる。除去部材が、固定部で固定された部分と弾性部材で押圧された部分との間で弛んでいると、除去部材の弛んだ部分は自重で重量方向（媒体の印刷面に接する方向）に変形し、除去部材が媒体の印刷面に接する接触面（以降、単に接触面と称す）が形成される。
接触面は固定部で固定された部分と弾性部材で押圧された部分との間に配置されるので、接触面の形状の変化が生じにくくなり、接触面の面積の変動が抑制され、除去部材は安定して媒体の印刷面に付着した異物を除去することができる。
【００１３】
［適用例３］上記適用例に係る印刷装置では、前記除去部材における前記媒体との対向部は、前記弾性部材における前記媒体との対向部より突出するように、前記除去部材と前記弾性部材とが配置されていることが好ましい。
【００１４】
除去部材における媒体との対向部が、弾性部材における媒体との対向部より突出すると、除去部材が媒体に接する場合に、弾性部材は媒体の印刷面に接しにくくなる。その結果、弾性部材が媒体の印刷面に接触することの悪影響、例えば媒体の印刷面の機械的損傷や媒体の搬送不良などが抑制される。
【００１５】
［適用例４］上記適用例に係る印刷装置では、前記除去部材は、一方の端部及び他方の端部が前記固定部に固定され、前記一方の端部と前記他方の端部との間で湾曲した部分が前記印刷面に接することが好ましい。
【００１６】
例えば、接触面の端部の一部が固定されず、変位可能であれば、接触面の面積は変動しやすい。接触面の端部が固定されていると、接触面の面積は変動しにくい。
一方の端部と他方の端部との間で湾曲した部分が印刷面に接する構成は、一方の端部と他方の端部との間に接触面が形成される構成であり、接触面の端部が固定されている構成に相当し、接触面の面積の変動が抑制され、除去部材は安定して媒体の印刷面に付着した異物を除去することができる。
【００１７】
［適用例５］上記適用例に係る印刷装置では、前記弾性部材の前記搬送方向と直交する幅方向の長さは、前記除去部材の前記幅方向の長さよりも短く、前記弾性部材の前記幅方向の端部は、前記除去部材の前記幅方向の端部の内側に配置されることが好ましい。
【００１８】
弾性部材の幅方向の端部は、除去部材の幅方向の端部の内側に配置されるので、除去部材が媒体に接する場合に、弾性部材は媒体の印刷面に接しにくくなる。その結果、弾性部材が媒体の印刷面に接触することの悪影響、例えば媒体の印刷面の機械的損傷や媒体の搬送不良などが抑制される。
【００１９】
［適用例６］上記適用例に係る印刷装置では、前記除去部は、前記媒体における前記搬送方向と直交する幅方向の端部に接するように配置されていることが好ましい。
【００２０】
例えば、媒体としてロール紙やカット紙を使用すると、媒体の製造工程（例えば、媒体を裁断する裁断工程）によって媒体の幅方向の端部に多くの異物が付着しやすい（例えば、裁断工程によって幅方向の端部に裁断屑が付着する）。除去部は媒体における幅方向の端部に接するように配置されているので、除去部が媒体における幅方向の端部に接さずに媒体の印刷面の端に多く付着した異物が除去されないという不具合を抑制することができる。
【００２１】
［適用例７］上記適用例に係る印刷装置では、前記除去部は、前記搬送方向と交差する方向に沿って複数に分割されていることが好ましい。
【００２２】
除去部が汚れや傷などによって劣化した場合、複数に分割された除去部のうちの劣化した除去部だけを交換すればよいので、除去部の全体を交換する場合と比べて、除去部の維持費用を抑制することができる。さらに、除去部を複数に分割すると除去部が小さくなるので、除去部が大きい場合と比べて、除去部の交換作業が容易になる。
【００２３】
［適用例８］上記適用例に係る印刷装置では、前記除去部材は、繊維の集合体であることが好ましい。
【００２４】
除去部材を繊維の集合体で構成すると、除去部材の接触面に凹凸を設けることができる。接触面が凹凸を有していると、接触面が平滑である場合と比べて、異物が除去されやすくなり、除去部材の異物除去能力を高めることができる。
さらに、除去部材を繊維の集合体で構成すると、除去部材の内部に空間が形成され、当該空間に異物を捕集（保持）することができる。従って、除去部材の内部に空間が形成されると、除去部材の内部に空間が形成されない場合と比べて、除去部材の異物捕集能力を高めることができる。
【００２５】
［適用例９］上記適用例に係る印刷装置では、前記除去部は、前記固定部に対して着脱可能に取り付けられていることが好ましい。
【００２６】
除去部は固定部に対して着脱可能に取り付けられているので、除去部の異物除去能力が低下した場合に、除去部を固定部から取り外し、異物除去能力を回復させるメンテナンスを実施した後に除去部を固定部に固定し、異物除去能力が低下した除去部を再利用することができる。
【図面の簡単な説明】
【００２７】
【図１】実施形態１に係る印刷装置の構成を示す概略断面図。
【図２】斜め方向から見た除去部の状態を示す概略図。
【図３】図１の破線で囲まれた領域Ａの拡大図。
【図４】図１の破線で囲まれた領域Ａの拡大図。
【図５】実施形態２に係る除去部の状態を示す概略図。
【図６】実施形態３に係る除去部の状態を示す概略図。
【発明を実施するための形態】
【００２８】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００２９】
（実施形態１）
「印刷装置の概要」
図１は、実施形態１に係る印刷装置の構成を示す概略断面図である。
最初に、図１を参照し、印刷装置１０の概要を説明する。
【００３０】
図１に示すように、本実施形態に係る印刷装置１０は、長尺の媒体Ｍを扱うラージフォーマットプリンター（ＬＦＰ）である。印刷装置１０は、脚部１１と、脚部１１に支持された筐体部１２と、筐体部１２の両端に取り付けられたセット部２０及び巻取部５０とを備えている。媒体Ｍとしては、例えば、上質紙、キャスト紙、アート紙、コート紙、合成紙、及びＰＥＴ（Polyethylene terephthalate）やＰＰ（polypropylene）などから成るフィルムなどを使用することができる。
以降の説明では、印刷装置１０の高さ方向をＺ方向とし、Ｚ方向に直交しセット部２０から巻取部５０に向かう方向をＹ方向とし、Ｚ方向及びＹ方向に直交する方向（媒体Ｍの幅方向）をＸ方向とする。また、方向を示す矢印の先端側を（＋）方向とし、基端側を（−）方向とする。
なお、Ｘ方向は「搬送方向と直交する幅方向」の一例である。
【００３１】
筐体部１２の内部には、媒体Ｍを搬送方向Ｆに搬送する搬送部３０と、印刷領域４０と、印刷装置１０の各部を制御する制御部５６と、媒体支持部２２と、除去部６０とが設けられている。さらに、印刷領域４０には、「印刷部」の一例である記録ヘッド４１が配置されている。
また、セット部２０及び巻取部５０は、記録ヘッド４１よりも低い位置に配置されている。
【００３２】
媒体Ｍは、セット部２０に収納されたロール体Ｒから巻き解かれ、給送口１３から筐体部１２の内部に給送され、印刷領域４０で印刷された後に、排出口１５から筐体部１２の外部に排出され、巻取部５０によってロール状に巻き取られる。
なお、媒体Ｍは、ロール紙でなく単票紙であってもよい。
【００３３】
搬送部３０は、媒体Ｍを搬送方向Ｆに搬送する。具体的には、セット部２０から給送された媒体Ｍを、印刷領域４０（記録ヘッド４１）に向けて搬送する。搬送部３０は、印刷領域４０（記録ヘッド４１）に対して搬送方向Ｆの上流側に配置され、駆動ローラー３１と従動ローラー３２とを有している。従動ローラー３２は、媒体Ｍを介して駆動ローラー３１に圧接され、従動回転する。駆動ローラー３１は、従動ローラー３２との間で媒体Ｍを挟持する。駆動モーター（図示省略）によって駆動ローラー３１が回転駆動することにより、媒体Ｍが搬送方向Ｆに搬送される。
【００３４】
印刷領域４０には、記録ヘッド４１と、記録ヘッド４１を保持するキャリッジ４２と、媒体Ｍを支持するプラテン４５と、キャリッジ４２を支持するガイド軸４３とが配置されている。
記録ヘッド４１は、インクを吐出することで、媒体Ｍの印刷面Ｍ１に画像を印刷する。つまり、記録ヘッド４１は、媒体Ｍの印刷面Ｍ１に印刷を行う印刷部として機能する。なお、印刷部は、媒体Ｍに画像の印刷を行うものであればよく、媒体Ｍに画像を転写する転写ローラー等の構成であってもよい。転写ローラーに異物が付着すると、画像と共に異物が媒体Ｍに転写されてしまい、画像の印刷品位が低下するおそれがあるためである。
【００３５】
記録ヘッド４１は、複数のノズル（図示省略）が設けられたノズル形成面４１Ａを有し、媒体Ｍの印刷面Ｍ１にインクを吐出する。記録ヘッド４１を保持したキャリッジ４２は、駆動モーター（図示省略）の動力によって媒体Ｍの幅方向（Ｘ方向）に往復移動する。プラテン４５は、記録ヘッド４１と対向する上面に媒体Ｍの幅方向を長手方向とする略矩形形状の面を備えている。媒体Ｍの印刷面Ｍ１と反対側の面は、プラテン４５に付与される負圧によってプラテン４５の上面に吸引支持される。これにより、媒体Ｍの浮き上がりによる印刷品質の低下が防止されるようになっている。
【００３６】
印刷装置１０では、キャリッジ４２をＸ方向に往復移動させながら記録ヘッド４１から媒体Ｍの印刷面Ｍ１にインクを吐出させる動作と、搬送部３０が媒体Ｍを搬送方向Ｆ（Ｙ方向）に搬送させる動作とを交互に繰り返すことにより、媒体Ｍの印刷面Ｍ１に複数のドットの列（ラスターライン）をＹ方向に並べることで、所定の画像を形成（印刷）する。
【００３７】
なお、本実施形態では、記録ヘッド４１として、往復移動するキャリッジ４２に搭載され媒体Ｍの幅方向（Ｘ方向）に移動しながらインクを吐出するシリアルヘッド式を例示したが、媒体Ｍの幅方向（Ｘ方向）に延在し固定して配列されたラインヘッド式であってもよい。
【００３８】
媒体支持部２２は、印刷領域４０（記録ヘッド４１）に対して搬送方向Ｆの上流側に配置され、セット部２０から給送された媒体Ｍを支持し、搬送部３０に案内する。
【００３９】
筐体部１２は、給送口１３の近くに内部に折れ曲がった部分（Ｚ（−）方向に伸びた部分）を有している。筐体部１２の折れ曲がった部分には、除去部６０が固定される部分である固定部７が取り付けられている。固定部７は、磁性材料（例えば、磁性を有するステンレス鋼）で構成される。そして、固定部７に除去部６０が取り付けられている（固定されている）。除去部６０は、印刷領域４０（記録ヘッド４１）に対して搬送方向Ｆの上流側に配置され、媒体Ｍの印刷面Ｍ１に接する。
なお、除去部６０の詳細は、後述する。
【００４０】
媒体Ｍの印刷面Ｍ１には、種々の要因により、異物が付着する場合がある。例えば、気中を浮遊する毛羽や埃などの環境要因の異物が、媒体Ｍの印刷面Ｍ１に付着する。また、ロール体Ｒを製造する工程（例えば、裁断する裁断工程）やロール体Ｒをセット部２０に装填するハンドリング作業によって、毛羽や埃などの環境要因以外の異物が媒体Ｍの印刷面Ｍ１に付着する。
そして、媒体Ｍの印刷面Ｍ１に付着した異物は、印刷領域４０に持ち込まれ、記録ヘッド４１のノズル形成面４１Ａに付着するおそれがある。
【００４１】
仮に、記録ヘッド４１のノズル形成面４１Ａに異物が付着し、ノズルの一部が異物によって閉塞されると、ノズル形成面４１Ａに設けられた複数のノズルからインクが均一に吐出されないという不具合が生じる。例えば、異物によって閉塞されたノズルで形成されるラスターラインと、異物によって閉塞されていないノズルで形成されるラスターラインとで、コントラストが異なり、印刷ムラなどの不具合が生じる。
【００４２】
本実施形態では、媒体Ｍがセット部２０から搬送部３０に給送される場合、除去部６０は、媒体Ｍの印刷面Ｍ１に接し、媒体Ｍの印刷面Ｍ１に付着した異物を除去する。従って、媒体Ｍの印刷面Ｍ１に付着した異物は、印刷領域４０に持ち込まれにくくなり、上述した環境要因の異物や環境要因以外の異物に起因する不具合が生じにくい。
【００４３】
「除去部の概要」
図２は、斜め方向（媒体の印刷面に交差する方向）から見た除去部の状態を示す概略図である。図３及び図４は、図１の破線で囲まれた領域Ａの拡大図であり、除去部の状態を示す概略図である。
図２乃至図４では、説明に不要な構成要素の図示が省略され、除去部６０の状態を分かりやすくするために、弾性部材６２が破線で図示されている。また、図２においては、媒体Ｍが一点鎖線で図示されている。また、図２の除去部材６１の状態は、図３の除去部材６１の状態に対応する。
次に、図２乃至図４を参照し、除去部６０の概要を説明する。
【００４４】
図２に示すように、除去部６０は、搬送方向Ｆに直交する方向（Ｘ方向）に長くなった形状を有し、除去部材６１と、弾性部材６２と、磁石８（図３参照）とで構成される。
【００４５】
弾性部材６２のＸ方向（幅方向）の長さＬ２は、除去部材６１のＸ方向（幅方向）の長さＬ１よりも短く、弾性部材６２の幅方向の端部６８，６９は、除去部材６１の幅方向の端部６６，６７の内側に配置される。このため、弾性部材６２は、媒体Ｍの印刷面Ｍ１に直接接触していない。詳細は後述するが、弾性部材６２は、除去部材６１よりも剛性が高く硬い材料で構成されているので、弾性部材６２が媒体Ｍの印刷面Ｍ１に接すると、媒体Ｍの印刷面Ｍ１に機械的損傷が生じやすくなり、弾性部材６２から余分な力が付勢され媒体Ｍの搬送不良が生じやすくなる。弾性部材６２は、媒体Ｍの印刷面Ｍ１に直接接触していないので、弾性部材６２が媒体Ｍの印刷面Ｍ１に接することに起因する不具合（機械的損傷、搬送不良）などを抑制することができる。
【００４６】
除去部材６１のＸ方向（幅方向）の長さＬ１は、媒体ＭのＸ方向（幅方向）の長さＬ３よりも長く、除去部材６１の幅方向の端部６６，６７は、媒体Ｍの印刷面Ｍ１の端Ｍ２，Ｍ３の外側に配置される。すなわち、除去部材６１（除去部６０）は、媒体Ｍの印刷面Ｍ１の端Ｍ２，Ｍ３に接するように配置されている。
ロール体Ｒを製造する工程（例えば、裁断する裁断工程）によって、媒体ＭのＸ方向（幅方向）における端部、すなわち媒体Ｍの印刷面Ｍ１の端Ｍ２，Ｍ３に、異物が多く付着しやすい（例えば、裁断工程によって媒体Ｍにおける幅方向の端部に裁断屑が付着する）。除去部材６１（除去部６０）は、媒体Ｍの印刷面Ｍ１の端Ｍ２，Ｍ３に接するように配置されているので、除去部材６１（除去部６０）が媒体Ｍの印刷面Ｍ１の端Ｍ２，Ｍ３に接さずに媒体Ｍの印刷面Ｍ１の端に多く付着した異物が除去されない、という不具合を抑制することができる。
【００４７】
図３に示すように、除去部６０は、固定部７に固定される部分に磁石８を有し、磁石８の磁力によって、固定部７に対して着脱可能に取り付けられている。
なお、除去部６０は、例えばネジによって固定部７に対して着脱可能に取り付けられる構成であってもよい。
【００４８】
除去部６０が固定部７に固定される部分において、磁石８と除去部材６１と弾性部材６２とは、例えば粘着シート（図示省略）によって互いに接着されている。また、磁石８が配置されていない領域では、除去部材６１及び弾性部材６２は、互いに接着されていなく、それぞれ自由に変位することができる。
仮に、磁石８が配置されていない領域で、除去部材６１及び弾性部材６２が互いに接着され、除去部材６１の変位の自由度が阻害されると、除去部材６１は、弾性部材６２の影響を受けて変位し、媒体Ｍの印刷面Ｍ１に均一に接することが難しくなるおそれがある。除去部材６１と媒体Ｍの印刷面Ｍ１との接触面積の均一性が悪くなると、除去部材６１が媒体Ｍの印刷面Ｍ１に付着した異物を均一に除去することが難しくなる。
【００４９】
除去部材６１の端部６１ａ，６１ｂは弾性部材６２を挟むように配置されている。除去部材６１は、端部６１ａ及び端部６１ｂが固定部７に固定されている。端部６１ａと端部６１ｂとの間の除去部材６１は、自重でＺ（−）方向（重力方向）に変位し、媒体Ｍの印刷面Ｍ１に接する。すなわち、除去部材６１は、端部６１ａと端部６１ｂとの間で湾曲した部分６４で媒体Ｍの印刷面Ｍ１に接する。換言すれば、除去部材６１は、両端（端部６１ａ，６１ｂ）が実質的に閉じられたループ形状を有し、端部６１ａと端部６１ｂとの間で湾曲した部分６４が媒体Ｍの印刷面Ｍ１に接する。
なお、端部６１ａは「一方の端部」の一例であり、端部６１ｂは「他方の端部」の一例である。
【００５０】
このように、固定部７に固定された端部６１ａと端部６１ｂとの間で湾曲した部分６４で、除去部材６１の媒体Ｍの印刷面Ｍ１に接する接触面６５が形成される。換言すれば、接触面６５を形成する除去部材６１の端部６１ａ，６１ｂの両方が、固定部７に固定されている。
例えば、接触面６５を形成する除去部材６１の端部６１ａ，６１ｂの一方（例えば、端部６１ａ）が固定部７に固定されていない場合、除去部材６１は端部６１ａ側で変位しやすくなる。除去部材６１が端部６１ａ側で変位すると、接触面６５の面積が変動し、除去部材６１の異物除去能力が変動することになる。
【００５１】
本実施形態では、接触面６５を形成する除去部材６１の端部６１ａ，６１ｂの両方が固定部７に固定されているので、除去部材６１の端部６１ａ，６１ｂの一方が固定されていない場合と比べて、除去部材６１の接触面６５の面積が変動しにくくなり、除去部材６１は、媒体Ｍの印刷面Ｍ１に付着した異物を安定して除去することができる。
なお、端部６１ａ及び端部６１ｂは、弾性部材６２を挟み、互いに近接して配置されているが、端部６１ａ及び端部６１ｂは、互いに離間して配置される構成であってもよい。
【００５２】
除去部材６１は、繊維を部分的に接着することで形成された不織布であり、可撓性を有する。すなわち、除去部材６１は、繊維の集合体である。除去部材６１を構成する繊維は、例えばポリエステル系繊維、ポリアミド系繊維、ポリオレフィン系繊維などの合成繊維、アセテートなどの半合成繊維、キュプラーやレーヨンなどの再生繊維、コットンなどの天然繊維などを使用することができる。
なお、除去部材６１は、繊維を絡ませて布状にしたフェルトであってもよい。除去部材６１は、繊維を織ったり、編んだりすることで形成された布であってもよい。
【００５３】
除去部材６１は多数の繊維の集合体であるので、除去部材６１の表面（接触面６５）は多数の凹凸を有する。除去部材６１の接触面６５が多数の凹凸を有すると、除去部材６１の接触面６５が平滑である場合と比べて、媒体Ｍの印刷面Ｍ１に付着した異物を除去しやすくなり、除去部材６１の異物除去能力を高めることができる。
【００５４】
除去部材６１は多数の繊維の集合体であるので、内部に多数の空間（空洞）を有する。除去部材６１の内部に空間を有すると、除去部材６１によって除去された異物を、当該空間の中に捕集（保持）し、異物の飛散を抑制することができる。すなわち、除去部材６１が内部に空間を有すると、除去部材６１が内部に空間を有していない場合と比べて、より多くの異物を除去部材６１の内部に捕集（保持）することができ、除去部材６１の異物捕集能力を高めることができる。
【００５５】
例えば、除去部材６１をブラシで構成すると、除去部材６１を繊維の集合体で構成する場合と比べて、ブラシの内部の空間が広くなりすぎ、ブラシの内部に異物を収納（保持）することが難しくなる。このため、ブラシによって除去された異物は、ブラシの内部を通過し、媒体Ｍの印刷面Ｍ１に再付着しやすくなる。
【００５６】
例えば、除去部材６１をゴム板で構成した場合、ゴム板は内部に異物を収納（保持）する空間を有していないので、媒体Ｍの印刷面Ｍ１に付着した異物が飛散（拡散）するおそれがある。
従って、除去部材６１は多数の繊維の集合体であることが好ましい。
【００５７】
なお、除去部材６１の異物除去能力や異物捕集能力が劣化しないように、除去部材６１で捕集された異物を清掃部材（例えば、ブラシ）によって定期的に取り除くことが好ましい。
本実施形態では、除去部６０は固定部７に対して着脱可能に取り付けられているので、除去部６０の異物除去能力が低下した場合に、除去部６０を固定部７から取り外し、異物除去能力を回復させるメンテナンス（除去部６０で捕集された異物を取り除く作業）を実施した後に、除去部６０を固定部７に固定する。異物除去能力が低下した除去部６０を再生し、再利用するので、印刷装置１０の維持費用（メンテナンス費用）を抑制することができる。
【００５８】
弾性部材６２は、例えばエラストマー、発泡樹脂、ウレタンゴム、シリコーンゴム、ニトリルゴム、クロロプレンゴムなどで構成されている。すなわち、弾性部材６２は、除去部材６１よりも剛性が高く硬い材料で構成され、弾性を有している。
弾性部材６２は、固定部７から媒体支持部２２に向けて伸びた板状の部材であり、ループ形状の除去部材６１の内側に配置される。そして、除去部材６１における媒体Ｍとの対向部（Ｚ（−）方向側の端部）は、弾性部材６２における媒体Ｍとの対向部（Ｚ（−）方向側の端部）よりも、Ｚ（−）方向側に突出するように、除去部材６１と弾性部材６２とが配置される。ここで、「媒体Ｍとの対向部」とは、それぞれの部材において、媒体Ｍと対向する部分のことである。言い換えれば、「媒体Ｍとの対向部」とは、それぞれの部材において、媒体Ｍと接触するか近接する部分のことである。
除去部材６１における媒体Ｍとの対向部が、弾性部材６２における媒体Ｍとの対向部より突出すると、除去部材６１が媒体Ｍの印刷面Ｍ１に接する場合に、弾性部材６２は媒体Ｍの印刷面Ｍ１に接しにくくなる。その結果、弾性部材６２が媒体Ｍの印刷面Ｍ１に接することの悪影響、例えば媒体Ｍの印刷面Ｍ１の機械的損傷や媒体Ｍの搬送不良などが抑制される。
【００５９】
媒体Ｍが搬送されていない場合、弾性部材６２は、媒体支持部２２との間で除去部材６１を挟持するように配置されている。すなわち、除去部材６１は、媒体支持部２２と弾性部材６２とで挟持される。弾性部材６２は、除去部材６１を挟持する部分（除去部材６１に接する部分）で湾曲し、除去部材６１を押圧する。また、弾性部材６２が除去部材６１を押圧する部分では、除去部材６１の変位（位置の変化）が阻害される。すなわち、除去部材６１において、固定部７に固定される部分及び弾性部材６２で押圧された部分は変位（位置の変化）が阻害され、実質的に固定された状態になる。
さらに、除去部材６１において、固定部７に固定される部分と弾性部材６２で押圧された部分との間は、弛んでおり、変位可能である。このため、除去部材６１における固定部７に固定される部分と弾性部材６２によって押圧された部分との間は、自重によって、媒体支持部２２（媒体Ｍ）が配置される方向に変位する。
【００６０】
媒体Ｍが搬送方向Ｆに搬送されると、弾性部材６２は除去部材６１を押圧しつつ、搬送方向Ｆに変位する。つまり、弾性部材６２の除去部材６１の押圧する部分の位置が、搬送方向Ｆに移動する。すると、弾性部材６２に対して搬送方向Ｆの上流側または弾性部材６２に対して搬送方向Ｆの下流側のいずれかで、固定部７に固定された部分と弾性部材６２で押圧された部分との間で除去部材６１の弛んだ部分の長さ（以降、除去部材６１の弛み量と称す）が、長くなる。すなわち、弾性部材６２に対して搬送方向Ｆの上流側と、弾性部材６２に対して搬送方向Ｆの下流側とで、除去部材６１の弛み量に非対称性が生じる。
【００６１】
例えば、図３に示すように、弾性部材６２に対して搬送方向Ｆの上流側で除去部材６１の弛み量が大きくなり、弾性部材６２に対して搬送方向Ｆの下流側で除去部材６１の弛み量が小さくなる。すると、弾性部材６２に対して搬送方向Ｆの上流側で、除去部材６１が自重によって媒体Ｍが配置される方向に変位し、除去部材６１の媒体Ｍに接する接触面６５が形成される。
【００６２】
例えば、図４に示すように、弾性部材６２に対して搬送方向Ｆの下流側で除去部材６１の弛み量が大きくなり、弾性部材６２に対して搬送方向Ｆの上流側で除去部材６１の弛み量が小さくなる。すると、弾性部材６２に対して搬送方向Ｆの下流側で、除去部材６１が自重によって媒体Ｍが配置される方向に変位し、除去部材６１の媒体Ｍに接する接触面６５が形成される。
【００６３】
弾性部材６２に対して搬送方向Ｆの上流側と、弾性部材６２に対して搬送方向Ｆの下流側とにおける除去部材６１の弛み量の非対称性は、除去部材６１及び弾性部材６２の条件（形状、材質など）、除去部材６１及び弾性部材６２の劣化状態、使用条件（温度、湿度など）などで変化する。
【００６４】
弾性部材６２に対して搬送方向Ｆの上流側と、弾性部材６２に対して搬送方向Ｆの下流側とで、除去部材６１の弛み量が非対称になると、除去部材６１の弛み量が対称である場合と比べて、除去部材６１の媒体Ｍの印刷面Ｍ１に接する接触面６５を広くすることができる。
【００６５】
除去部材６１において、接触面６５の一方の端の側には弾性部材６２で押圧される部分（実質的に固定された部分）が配置されている。接触面６５は、弾性部材６２で実質的に固定された部分と、固定部７に固定された端部６１ａとの間に形成されている。換言すれば、接触面６５は、除去部材６１における固定された２つの部分の間に形成されている。
接触面６５は、除去部材６１における固定された２つの部分の間に形成されているので、一方の端が固定されていない除去部材６１に接触面６５が形成される場合と比べて、接触面６５の面積が変動しにくくなる。
【００６６】
このように、弾性部材６２を設けることによって、除去部材６１の押圧される部分が形成されることに加えて、除去部材６１の弛み量を非対称にすることよって除去部材６１の接触面６５が広くなり、さらに除去部材６１の接触面６５の面積の変動が小さくなる。
そして、除去部材６１の押圧される部分と、除去部材６１の接触面６５との両方で、媒体Ｍの印刷面Ｍ１に付着した異物が除去される。
【００６７】
除去部材６１における押圧される部分は、除去部材６１における押圧されない部分と比べて、押圧力によって異物を除去する力が強くなるので、除去部材６１の異物除去能力が高くなる。
また、広くなった接触面６５によって、接触面６５が狭い場合と比べて、異物を除去する力が長時間作用するようになるので、除去部材６１の異物除去能力が高くなる。
また、除去部材６１の接触面６５の面積の変動が小さくなることによって、除去部材６１は安定して異物を除去することができる。
従って、弾性部材６２を設けることによって、除去部材６１の異物除去能力が高められ、安定して異物を除去できるという優れた効果を得ることができる。
【００６８】
なお、弾性部材６２による優れた効果を得るためには、弾性部材６２のＺ方向の長さを制御することが重要である。例えば、弾性部材６２のＺ方向の長さが長くなりすぎ、弾性部材６２が除去部材６１を押圧する部分の面積が広くなると、弾性部材６２から媒体Ｍに付勢される力が強くなりすぎ、媒体Ｍの搬送が阻害される不具合が生じる。
詳しくは、弾性部材６２と除去部材６１とが接触する部分の搬送方向Ｆの長さが、概略１０ｍｍよりも長くなると、媒体Ｍの搬送不良が生じる。従って、弾性部材６２と除去部材６１とが接触する部分の搬送方向Ｆの長さは、１０ｍｍ以下であることが好ましく、さらに５ｍｍ以下であることがより好ましい。
【００６９】
（実施形態２）
図５は、図３に対応する図であり、実施形態２に係る除去部の状態を示す概略図である。
実施形態１に係る除去部６０では、両端が実質的に閉じられたループ形状の除去部材６１を有していた。本実施形態に係る除去部７０は、両端が離間し重力方向に垂れ下がった板形状の除去部材７１を有している。この点が本実施形態と実施形態１との主な相違点である。
以下、図５を参照し、本実施形態に係る印刷装置を、実施形態１に係る印刷装置１０との相違点を中心に説明する。また、実施形態１と同一の構成部位については、同一の符号を附し、重複する説明を省略する。
【００７０】
図５に示すように、本実施形態に係る印刷装置では、除去部材７１は重力方向に垂れ下がっているので、除去部７０は、固定部７に固定される部分において、磁石８と弾性部材６２と除去部材７１とが、Ｙ（−）方向に順に配置された構成を有している。一方、実施形態１に係る印刷装置１０では、除去部材６１はループ形状を有しているので、除去部６０は、固定部７に固定される部分において、磁石８と除去部材６１（端部６１ａ側）と弾性部材６２と除去部材６１（端部６１ｂ側）とが、Ｙ（−）方向に順に配置された構成を有している（図３参照）。
【００７１】
除去部材７１は、実施形態１に係る除去部材６１と同じ材料（繊維の集合体）で構成されている。
除去部７０をＺ方向に沿って広げた場合、除去部７０の除去部材７１のＺ方向の長さは、弾性部材６２のＺ方向の長さよりも長い。また、除去部７０の除去部材７１をＺ方向に沿って広げた場合のＺ方向の長さは、実施形態１の除去部６０の除去部材６１をＺ方向に沿って広げた場合のＺ方向の長さよりも短い。
【００７２】
媒体Ｍを搬送する場合、除去部材７１における媒体Ｍとの対向部は、弾性部材６２における媒体Ｍとの対向部より、Ｚ（−）方向側に突出するように配置されている。ここで、「媒体Ｍとの対向部」とは、それぞれの部材において、媒体Ｍと対向する部分のことである。言い換えれば、「媒体Ｍとの対向部」とは、それぞれの部材において、媒体Ｍと接触するか近接する部分のことである。このような構成により、除去部材７１が媒体Ｍの印刷面Ｍ１に接しやすくなり、弾性部材６２は媒体Ｍの印刷面Ｍ１に接しにくい。このとき、除去部材７１は、媒体Ｍの印刷面Ｍ１と弾性部材６２との間に配置され、除去部材７１の媒体Ｍの印刷面Ｍ１に接する接触面７５は、弾性部材６２によって押圧される。
【００７３】
媒体Ｍを搬送する場合、除去部材７１及び弾性部材６２は、搬送方向Ｆに変位する。弾性部材６２が、除去部材７１に対して搬送方向Ｆの下流側に配置されているので、除去部材７１の搬送方向Ｆの変位は、弾性部材６２によって規制され、除去部材７１は、弾性部材６２の形状をトレースするように変位する。
【００７４】
本実施形態では、弾性部材６２は、除去部材７１の接触面７５を押圧する役割に加えて、除去部材７１の変位を規制し、除去部材７１の形状異常（型崩れ）を抑制する役割を有する。すなわち、弾性部材６２を設けると、除去部材７１は、弾性部材６２の形状をトレースするように変位するので、除去部材７１の型崩れが抑制され、安定して媒体Ｍの印刷面Ｍ１に接するようになる。
【００７５】
除去部材７１の接触面７５は弾性部材６２で押圧されているので、弾性部材６２で押圧されていない場合と比べて、媒体Ｍの印刷面Ｍ１に付着した異物を除去する力が強くなり、異物の除去能力を高めることができる。さらに、除去部材７１の型崩れが抑制され、除去部材７１が安定して媒体Ｍの印刷面Ｍ１に接するようになるので、除去部材７１は、媒体Ｍの印刷面Ｍ１に付着した異物を安定して除去することができる。
【００７６】
（実施形態３）
図６は、図２に対応する図であり、実施形態３に係る除去部の状態を示す概略図である。
本実施形態に係る除去部８０は複数に分割され、実施形態１に係る除去部６０は複数に分割されていない、この点が本実施形態と実施形態１との主な相違点である。
以下、図６を参照し、本実施形態に係る印刷装置を、実施形態１に係る印刷装置１０との相違点を中心に説明する。また、実施形態１と同一の構成部位については、同一の符号を附し、重複する説明を省略する。
【００７７】
図６に示すように、本実施形態に係る印刷装置では、除去部８０は、第１除去部８１と、第２除去部８２と、第３除去部８３と、第４除去部８４とで構成される。すなわち、除去部８０は、４つに分割された除去部８１，８２，８３，８４で構成される。第１除去部８１と、第２除去部８２と、第３除去部８３と、第４除去部８４とは、搬送方向Ｆと交差する方向に沿って順に配列されている。このように、除去部８０は、搬送方向Ｆと交差する方向に沿って複数に分割されている。
さらに、第１除去部８１の幅方向の長さ、第２除去部８２の幅方向の長さ、第３除去部８３の幅方向の長さ、及び第４除去部８４の幅方向の長さは、いずれもＬ４であり、全て同じである。
【００７８】
除去部８０が、複数の除去部８１，８２，８３，８４に分割されると、除去部８０に傷などの不具合が生じた場合、除去部８０の全体を交換する必要がなく、不具合が生じた部分の除去部８０だけを交換すればよい。例えば、第１除去部８１に不具合が生じた場合、第１除去部８１だけを交換すればよいので、除去部８１，８２，８３，８４の全てを交換する場合と比べて、交換用部材の費用を抑制することができる。
このように、複数に分割された除去部の一部を交換可能な構成（本実施形態の構成）は、除去部の全体を交換する構成（実施形態１の構成）と比べて、印刷装置１０の維持費用を抑制することができる。
【００７９】
４つの除去部８１，８２，８３，８４は、それぞれ同じ長さであり、共通化され、同じ部品で４つの除去部８１，８２，８３，８４のそれぞれを交換することができる。このように、交換用部材の汎用性が高められているので、交換用部材の低コスト化を図ることができる。
ただし、４つの除去部８１，８２，８３，８４の幅方向の長さを、全て同じとしなくてもよい。４つの除去部８１，８２，８３，８４の幅方向の長さを、それぞれ異ならせたり、一部を揃えたりする構成であってもよい。
【００８０】
さらに、除去部８０の異物除去能力が低下した場合、除去部８０の全体を取り外してメンテナンスを実施する必要がなく、異物除去能力が低下した除去部８０だけを取り外し、異物除去能力を回復させるメンテナンスを実施すればよい。例えば、第１除去部８１の異物除去能力が低下した場合、第１除去部８１だけを取り外し、第１除去部８１だけに異物除去能力を回復させるメンテナンスを実施すればよく、除去部８１，８２，８３，８４の全てにメンテナンスを実施する場合と比べて、メンテナンスが容易になる。
【００８１】
さらに、除去部８０は、複数の除去部８１，８２，８３，８４に分割され、除去部８１，８２，８３，８４のサイズが小さくなっているので、除去部８１，８２，８３，８４の交換作業やメンテナンス作業が容易になり、これら作業の効率が向上し、作業ミス等の不具合も抑制することができる。
【００８２】
除去部を複数に分割する場合、除去部の分割数は、上述した４つに限定されず、４つよりも多くてもよく、４つよりも少なくてもよい。
さらに、除去部を複数に分割すると、分割された除去部（例えば、第１除去部８１）と、当該分割された除去部に隣り合う除去部（例えば、第２除去部８２）との間に隙間が生じる。上述した様に、媒体Ｍの端部（媒体Ｍの印刷面Ｍ１の端Ｍ２，Ｍ３）には、異物が多く付着しやすい。このため、媒体Ｍの印刷面Ｍ１の端Ｍ２，Ｍ３に接するように、除去部を配置することが好ましい。
従って、除去部を複数に分割する場合、分割された除去部の隙間が媒体Ｍの印刷面Ｍ１の端Ｍ２，Ｍ３に配置されないように、除去部を複数に分割することが好ましい。
【００８３】
（実施形態４）
実施形態４に係る除去部６０は、導電性を有する繊維の集合体であり、導電性を有する。
除去部６０を構成する導電性を有する繊維としては、例えば二重結合と単結合とが交互に並んだ構造の主鎖を有する高分子からなる繊維、例えばポリピロール系高分子、ポリチオフェン系高分子、ポリアニリン系高分子、ポリアセチレン系高分子などの導電性高分子からなる繊維を使用することができる。
【００８４】
媒体Ｍの印刷面Ｍ１に静電気が蓄積され、静電気力によって異物が媒体Ｍの印刷面Ｍ１に強く付着している場合、媒体Ｍの印刷面Ｍ１に蓄積された静電気を除去部６０によって除電すると、媒体Ｍの印刷面Ｍ１に付着した異物を除去しやすくなる。従って、除去部６０が導電性を有することで、媒体Ｍの印刷面Ｍ１に付着した異物を除去しやすくなる。
【００８５】
なお、除去部６０は、導電性を有している繊維と、導電性を有していない繊維との集合体であってもよい。
【符号の説明】
【００８６】
７…固定部、１０…印刷装置、１１…脚部、１２…筐体部、１３…給送口、１５…排出口、２０…セット部、２２…媒体支持部、３０…搬送部、４０…印刷領域、４１…記録ヘッド、４１Ａ…ノズル形成面、４２…キャリッジ、４３…ガイド軸、４５…プラテン、５０…巻取部、５６…制御部、６０…除去部、６１…除去部材、６２…弾性部材、Ｆ…搬送方向、Ｍ…媒体、Ｍ１…印刷面。
【図１】
0006740694.tif 000002
【図２】
0006740694.tif 000003
【図３】
0006740694.tif 000004
【図４】
0006740694.tif 000005
【図５】
0006740694.tif 000006
【図６】
0006740694.tif 000007